(57)【要約】      （修正有）【課題】長期間使用しても破損しにくい二胡の駒を提供する。【解決手段】胴表面部の琴皮２３と、琴皮上方に張設される二本の琴弦３４、３５との間に配置される二胡の駒１０であって、二本の琴弦を支持する平面円盤状の弦支持部１１を有し、弦支持部が円形平面であることにより、弦支持部と琴弦との接触が略線接触となり、弦支持部の琴弦との接触部分に掛かる力が分散される。【選択図】図２
0003229450.tif 000002
【実用新案登録請求の範囲】
【請求項１】
胴表面部の琴皮と、前記琴皮上方に張設される二本の琴弦との間に配置される二胡の駒であって、前記二本の琴弦を支持する平面円盤状の弦支持部を有することを特徴とする二胡の駒。
【請求項２】
前記弦支持部には、前記二本の琴弦を受け入れる二本の溝が設けられていることを特徴とする、請求項１記載の二胡の駒。
【請求項３】
全体略円筒状であって、弦支持部及び琴皮接地部は平面円盤状に形成され、前記弦支持部と前記琴皮接地部との間には、高さ方向中間部が最小径となる横断面円形の本体部が設けられていることを特徴とする二胡の駒。
【請求項４】
前記二本の琴弦の上方から被覆した状態で前記弦支持部に固定される弦移動防止部材を有することを特徴とする、請求項２記載の二胡の駒。
【請求項５】
請求項１〜３のいずれか一項記載の二胡の駒を備えたことを特徴とする二胡。
【考案の詳細な説明】
【技術分野】
【０００１】
本考案は二胡の駒及び二胡に関する。
【背景技術】
【０００２】
胡琴類の楽器として二胡が知られている（特許文献１参照）。二胡は中国の伝統的な擦弦楽器の一種であり、二本の琴弦を弓でこすることで演奏される。琴弦には主として馬の尾の毛が用いられる。胴に張られる琴皮には、主としてニシキヘビの皮が用いられる。そして、琴皮上には、弦を胴との間に支持する「駒」が配置され、弦を下方から支持するように構成されている。
【先行技術文献】
【特許文献】
【０００３】
【特許文献１】登実３２１８５５６号公報
【考案の概要】
【考案が解決しようとする課題】
【０００４】
しかしながら、従来の二胡の駒は、上端に至るに従って細くなる側面形状を有し、上端部において２本の弦を支持する支持部がほぼ線状に形成されており、琴弦と接する部分が非常に細く尖っているため、琴弦の振動による力が駒の先端部の極小さい領域に集中する。このため、駒の先端部が他の部分と比較して早期に破損し易いという問題があった。
【０００５】
本考案は、長期間使用しても破損しにくい二胡の駒及び当該二胡の駒を備えた二胡を提供する。
【課題を解決するための手段】
【０００６】
上記課題を解決するために、請求項１の二胡の駒は、胴表面部の琴皮と、前記琴皮上方に張設される二本の琴弦との間に配置される二胡の駒であって、前記二本の琴弦を支持する平面円盤状の弦支持部を有することを特徴とする。
弦支持部が円形平面であることにより、弦支持部と琴弦との接触が略線接触となり、従来のような細く尖った弦支持部と琴弦との接触すなわち略点接触の場合と比較して、弦支持部の琴弦との接触部分に掛かる力が分散される。
【０００７】
また、請求項２の二胡の駒は、請求項１の二胡の駒において、前記弦支持部には、前記二本の琴弦を受け入れる二本の溝が設けられていることを特徴とする。二本の琴弦を受け入れる二本の溝が弦支持部に設けられていることにより、二本の琴弦が弦支持部に正確に位置決めされる。
【０００８】
請求項３記載の二胡の駒にあっては、全体円筒状であって、弦支持部は平面円盤状に形成されると共に、琴皮接地部も平面円盤状に形成され、前記弦支持部と前記琴皮接地部との間には、高さ方向中間部が最小径となる横断面円形の本体部が設けられていることを特徴とする。
【０００９】
請求項４記載の二胡の駒は、請求項２の二胡の駒において、前記二本の琴弦に被せて前記弦支持部に固定される弦移動防止部材を有することを特徴とする。弦移動防止部材を二本の琴弦に被せて弦支持部に固定することにより、演奏中における琴弦の溝からの外れが防止される。琴弦に被せて前記弦支持部に固定される弦移動防止部材を有することを特徴とする、請求項２記載の二胡の駒。
【００１０】
請求項５記載の二胡の駒にあっては、請求項１〜３のいずれか一項記載の二胡の駒を備えたことを特徴とする。この二胡は、従来の駒を備えた二胡と比較して、弦支持部の琴弦との接触部分に掛かる力が分散され、二本の琴弦が弦支持部に正確に位置決めされ、演奏中における琴弦の溝からの外れが防止される。
【考案の効果】
【００１１】
請求項１記載の二胡の駒によれば、弦支持部の琴弦との接触部分に掛かる力が分散されるので、長期間使用しても破損しにくい二胡の駒を提供できる。
【００１２】
請求項２記載の二胡の駒によれば、二本の琴弦が弦支持部に正確に位置決めされるので、より長期間使用しても破損しにくく且つハウリングが生じにくい二胡の駒を実現できる。
【００１３】
請求項３記載の二胡の駒によれば、全体円筒状であって、弦支持部及び琴皮接地部は平面円盤状に形成され、前記弦支持部と前記琴皮接地部との間には、高さ方向中間部が最小径となる横断面円形の本体部が設けられていることから、弦の振動を有効に琴皮に伝達することができ、音色の良好な二胡を提供することができる。
【００１４】
請求項４記載の発明によれば、弦移動防止部材により、演奏中における琴弦の溝からの外れが防止されるので、より長期間使用しても破損しにくく且つよりハウリングの生じにくい二胡の駒を実現できる。
請求項５記載の発明によれば、長期間使用しても駒が破損しにくい二胡を実現できる。
【図面の簡単な説明】
【００１５】
【図１】本考案に係る二胡の一実施形態における使用例を示す説明図である。
【図２】本考案に係る二胡の駒の一実施形態を、二胡の胴と共に示す駒本体の斜視図である。
【図３】本考案に係る二胡の駒の一実施形態を示す駒本体の斜視図である。
【図４】本考案に係る二胡の駒の一実施形態を示す駒本体の側面図である。
【図５】本考案に係る二胡の駒の一実施形態を示す全体斜視図である。
【図６】本考案に係る二胡の駒の一実施形態を示す全体側面図である。
【考案を実施するための形態】
【００１６】
以下、本考案の一実施形態について添付図面を参照しつつ説明する。
【００１７】
［二胡の構成］
図１に示すように、二胡１は、筒状の胴部２と、胴部２に一端側が固定された棹部３と、を備え、演奏時には弓４を対として音を奏でるものである。弓４は、竹で作られた弓棹４１に馬の尻尾の毛を束ねた弓毛から構成される。
【００１８】
胴部２は、胴敷２１の上面に固定された胴２２と、胴２２の一端に張られた琴皮２３と、琴皮２３の中心部に着脱可能に配置された駒１０と、琴皮２３の下方寄りに設けられた控制綿２５と、を備える。
【００１９】
棹部３は、胴２２に一端側が固定された琴棹３１と、琴棹３１の他端側に上下で離間して設けられた糸巻部３２、３３から胴２２の琴皮２３に向けて張られた二本の琴弦３４、３５と、琴棹３１の他端付近に設けられて琴棹３１の長さ方向中途部を支持する千斤３６と、を備える。
【００２０】
胴２２の他端は閉塞して形成されている。胴２２は、例えば、職人の手作業によって、紫檀、黒檀、紅木等の比較的堅い木材を繰り抜き等によって加工される。
【００２１】
琴皮２３には、主としてニシキヘビ等の蛇皮が使用されているが、他の動物の皮や人工の皮が使用されることもある。
【００２２】
駒１０は、二本の琴弦３４、３５と琴皮２３との間に配置されて、両琴弦３４、３５の振動を琴皮２３に伝える部材である。
【００２３】
控制綿２５は、副駒とも称され、駒１０よりも下方で琴皮２３と琴弦３４、３５との間に挟まれる。控制綿２５はノイズを無くす役割を果たす。控制綿２５には、フェルトやスポンジが用いられる。
【００２４】
［駒の構成］
図２〜図６に示すように、駒１０は、駒本体１０Ａと弦移動防止部材１０Ｂとを有して構成される。
【００２５】
図２及び図３に示すように、駒本体１０Ａは、全体略円筒状であって、上端部に設けられ、二本の琴弦３４、３５を支持する平面円盤状からなる弦支持部１１と、下端部に設けられ、琴皮２３と当接する、同様に平面円盤状からなる琴皮接座部１２と、弦支持部１１と琴皮接座部１２との間に存在する支柱部１３と、を有する。支柱部１３は側面部は周方向に連続する曲面からなり、略鼓状高さ方向中間部が最小径となるように形成されている。
【００２６】
弦支持部１１には、二本の琴弦３４、３５を受け入れる二本の溝１１ａ、１１ｂが設けられている。二本の溝１１ａ、１１ｂは互いに並行に設けられている。
【００２７】
支柱部１３の上下方向における琴皮接座部１２側には、支柱部１３を径方向に貫通する円柱状の孔部からなる共振孔１３ａが設けられている。
【００２８】
弦支持部１１の直径は、例えば１．２ｃｍである。琴皮接座部１２の直径は、例えば１．７ｃｍである。駒本体１０Ａの全体の高さ寸法は、例えば１．２ｃｍである。駒本体１０Ａには木材や竹材が用いられ、多くの場合、楓材や松材が用いられる。
【００２９】
図４及び図５に示すように、弦移動防止部材１０Ｂは、弦支持部１１と径寸法が略等しい円板状の部材である。弦移動防止部材１０Ｂにはゴムが用いられる。弦移動防止部材１０Ｂは、二本の琴弦３４、３５に被せて弦支持部１１に固定される。具体的には、弦移動防止部材１０Ｂは、裏面に接着材層１０Ｂａを有し、接着により弦支持部１１に固定される。
【００３０】
［作用・効果］
本実施形態の二胡１の駒１０は、弦支持部１１が平面円盤状であることにより、弦支持部１１と琴弦３４、３５との接触が略線接触となり、従来のような細く尖った弦支持部と琴弦３４、３５との接触すなわち略点接触の場合と比較して、弦支持部１１の琴弦との接触部分に掛かる力が分散されるので、長期間使用しても破損しにくい。
【００３１】
また、本実施形態の二胡１の駒１０は、二本の琴弦３４、３５を受け入れる二本の溝１１ａ、１１ｂが弦支持部１１に設けられていることにより、二本の琴弦３４、３５が弦支持部１１に正確に位置決めされるので、より長期間使用しても破損しにくく且つハウリングが生じにくい。
【００３２】
また、本実施形態では、弦移動防止部材１０Ｂを二本の琴弦３４、３５に被せて弦支持部１１に固定したことにより、演奏中における琴弦３４、３５の溝からの外れが防止されるので、琴弦３４、３５と駒本体１０Ａとの不要な接触を抑制して、より長期間使用しても破損しにくく且つよりハウリングの生じにくい二胡１の駒１０を実現できる。
される。
【００３３】
また、本実施形態の二胡１は、本実施形態の駒１０を備えているので、長期間使用しても駒１０が破損しにくく且つハウリングが生じにくいという効果を奏し得る。
【００３４】
なお、本考案は、上記実施形態に限定されない。たとえば、上記実施形態では、駒１０が駒本体１０Ａと弦移動防止部材１０Ｂとにより構成されているが、弦移動防止部材１０Ｂを省略した構成すなわち、駒本体１０Ａが駒１０そのものである構成を採用してもよい。
【符号の説明】
【００３５】
１  二胡
１０  
１０Ａ  駒本体
１０Ｂ  弦移動防止部材
１０Ｂａ  接着材層
１１  弦支持部
１１ａ  溝
１１ｂ  溝
１２  琴皮接座部
１３  支柱部
１３ａ  共振孔
２２  胴
２３  琴皮
３４  琴弦
３５  琴弦
【図１】
0003229450.tif 000003
【図２】
0003229450.tif 000004
【図３】
0003229450.tif 000005
【図４】
0003229450.tif 000006
【図５】
0003229450.tif 000007
【図６】
0003229450.tif 000008